(57)【要約】【課題】操作性を向上させることができる安全ベルト高さ調整装置を設けたチャイルドシートを提供する。【解決手段】座面１１から立上り前面部１２１と後面部１２２を有する背凭れ１２を有し、前面部１２１から後面部１２２に貫通する溝孔が設けられたシート体１と、後面部１２２に棒状の左右シートフレーム３０が固定され、複数の係止穴３０１を有する調整具と、左右シートフレーム３０に沿って滑り自在に設けられ、安全ベルト４を通す出入口が開けられた係止体３１と、一端部３２２を係止穴３０１に嵌入させ、他端部３２０は係止体３１と連結されたラッチ部材３２と、係止体３１の前後方向で且つラッチ部材３２の直交方向へ移動自在な駆動体（押し部材３３）と、駆動体３３をラッチ部材３２と連結し、ラッチ部材３２が係止穴３０１に係合する第１の位置から脱離する第２の位置に移動して係止体３１の滑りを制限してなる連結手段（移動杆３４）とを備えている。【選択図】図５
2004331055.tif 000002
【特許請求の範囲】
【請求項１】
車のシートベルトにより車のいす部に装着され、安全ベルトによって乗せた乳幼児のショルダーとクロッチにかけて乳幼児をシートに保持するチャイルドシートであって、
前記車のいす部に装着され、座面と、該座面の一端から立上り延伸して互いに背中合せの前面部と後面部を有する背凭れとを有し、前記前面部から前記後面部に貫通する溝孔が設けられたシート体と、
前記座面から立上り前記背凭れの後面部に棒状の左右シートフレームが固定され、前記シートフレームのそれぞれの上端部に長さ方向に沿って設けられ、且つ左右互いに対応する係止穴を有する調整具と、
前記背凭れの後面部に前記左右シートフレームに沿って上下方向に滑り自在に設けられ、前記溝孔に対応及び連通して前記安全ベルトを通す１つ以上の出入口が開けられた係止体と、
棒状をなし、前記係止体内の前記出入口に対して左右へ横切る方向に移動可能に設けられ、一端部を前記係止穴に嵌入させることができ、他端部は前記係止体と連結されたラッチ部材と、
前記係止体の前後方向で且つ前記ラッチ部材の直交方向へ移動自在な駆動体と、
前記駆動体を前記ラッチ部材と連結し、前記駆動体が、前記ラッチ部材の前記係止穴に係合する第１の位置から前記係止穴から脱離する第２の位置に移動し、前記ラッチ部材が前記係止穴に係脱するように移動しながら、前記係止体の上下滑りを制限してなる連結手段と、
を備えていることを特徴とするチャイルドシート。
【請求項２】
前記ラッチ部材が常時前記係止穴に係止するように前記駆動体を押す付勢手段を更に有し、
前記溝孔は、前記安全ベルトの前記ショルダーにかけた両肩部分を通す長孔が２つ設けられていることを特徴とする請求項１に記載のチャイルドシート。
【請求項３】
前記係止体は、前記出入口の係止体上且つ左右に対応して一直線になる１つ以上の長溝が更に設けられ、
前記駆動体は、前記長溝に対して所定角度で斜めに傾斜した１つ以上の第２の長溝が更に設けられ、
前記連結手段は、前記長溝にて前記係止体内に挿入した状態の前記ラッチ部材の他端部を通して前記第２の長溝に沿って摺動することを特徴とする請求項１に記載のチャイルドシート。
【請求項４】
前記係止体は、左右のシートフレームの上端部に跨り、滑り自在に上下動する一対のブシュが更に形成されていることを特徴とする請求項１に記載のチャイルドシート。
【請求項５】
前記左右のシートフレームの間には、前記係止体が前記左右シートフレームに沿って最上位の係止穴から最下位の係止穴の間のみ移動できるように制限するブラケット部材が設けられていることを特徴とする請求項１に記載のチャイルドシート。
【請求項６】
前記ブラケット部材は、前記背凭れの後面部に固定される長方形状のブラケット板と、該ブラケット板の一対の長辺のそれぞれ両端縁から直角に後方に突出するように形成されて対応したブシュを挟む突耳と、該突耳のそれぞれに形成された前記シートフレームを通すための円孔とを有し、前記ブラケット板は、前記安全ベルトの肩部分を通すための開口が前記長孔に対応して設けてあることを特徴とする請求項５に記載のチャイルドシート。
【発明の詳細な説明】
【技術分野】
【０００１】
本発明は、チャイルドシートに関するものであり、より詳しくは、安全ベルトの高さを調節するための調節装置を設けたチャイルドシートに関するものである。
【背景技術】
【０００２】
図１及び図２は、安全ベルトの高さを乳幼児の背丈に合せて調節するための調節装置が設けてある従来のチャイルドシートの構造を示す。このチャイルドシート１００は、図１に示すように、背凭れ部及び座面部を有するシート体７１と、該シート体７１の背凭れ部及び座面部に乳幼児のショルダーとクロッチにかけるＹ字形安全ベルト７２と、該シート体７１の背凭れ部に上下移動自在に載置され、前記安全ベルト７２のショルダーにかける一対の肩ひもを通す一対の通孔７１１、７１１が形成された制御板７３とを含んでいる。前記シート体７１の背凭れ部の後部には、図２に示すように、前記通孔７１１、７１１の両側に位置するように、前記背凭れ部の高さ方向に沿って並列した複数の凸条８１、８１、８１が設けられ、前記凸条８１のそれぞれに、高さ方向と直角に一直線に並ぶ対応位置に複数の係合溝８１１、８１１、・・・が形成されている。また、前記安全ベルト７２に上から押し付けられながら上下移動自在に前記凸条８１、８１、８１の係合溝８１１、８１１、８１１に嵌入される横木７４、及びそれぞれが前記通孔７１１、７１１を通して前記制御板７３と前記横木７４の両端に連結される取っ手７５、７５が設けられている。
【０００３】
前記構成によれば、乳幼児を前記安全ベルト７２でシート１００内に保持するとき、乳幼児の背丈に合せて、好ましくは両手で前記取っ手７５、７５のそれぞれを持って背中方向（後向き）に引きながら、前記横木７４を前記係合溝８１１、８１１、８１１から脱離させる。そして、前記取っ手７５、７５を同時に動かし、前記制御板７３全体を移動させることによって、前記横木７４が上又は下の係合溝８１１、８１１、８１１に嵌入されることにより、前記安全ベルト７２の高さを調整することができる。
【発明の開示】
【発明が解決しようとする課題】
【０００４】
前記従来のチャイルドシート１００は、乗った乳幼児の背丈に合せて前記安全ベルト７２の高さを調整することができるが、前記横木７４を前記係合溝８１１、８１１、８１１から脱離させるには両手で操作しないとスムーズにできず、狭い車内の空間では操作に不便であるため、なおも改善すべき余地がある。
【０００５】
本発明は、前記課題に鑑みてなされたものであり、操作性を向上させることができる安全ベルト高さ調整装置を設けたチャイルドシートを提供することを目的とする。
【課題を解決するための手段】
【０００６】
前記目的を達成するために、本発明では、車のシートベルトにより車のいす部に装着され、安全ベルトによって乗せた乳幼児のショルダーとクロッチにかけて乳幼児をシートに保持するチャイルドシートであって、前記車のいす部に装着され、座面と、該座面の一端から立上り延伸して互いに背中合せの前面部と後面部を有する背凭れとを有し、前記前面部から前記後面部に貫通する溝孔が設けられたシート体と、前記座面から立上り前記背凭れの後面部に棒状の左右シートフレームが固定され、前記シートフレームのそれぞれの上端部に長さ方向に沿って設けられ、且つ左右互いに対応する係止穴を有する調整具と、前記背凭れの後面部に前記左右シートフレームに沿って上下方向に滑り自在に設けられ、前記溝孔に対応及び連通して前記安全ベルトを通す１つ以上の出入口が開けられた係止体と、棒状をなし、前記係止体内の前記出入口に対して左右へ横切る方向に移動可能に設けられ、一端部を前記係止穴に嵌入させることができ、他端部は前記係止体と連結されたラッチ部材と、前記係止体の前後方向で且つ前記ラッチ部材の直交方向へ移動自在な駆動体と、前記駆動体を前記ラッチ部材と連結し、前記駆動体が、前記ラッチ部材の前記係止穴に係合する第１の位置から前記係止穴から脱離する第２の位置に移動し、前記ラッチ部材が前記係止穴に係脱するように移動しながら、前記係止体の上下滑りを制限してなる連結手段と、備えていることを特徴とするチャイルドシートを提供しようとする。
【発明の効果】
【０００７】
このように構成したチャイルドシートは、片手によってラッチ部材を係止穴に着脱することができるので、座った乳幼児の背丈に合せて安全ベルトの高さを調整することが容易になる。
【発明を実施するための最良の形態】
【０００８】
以下、本発明のチャイルドシートの具体的な実施の形態について、図面を参照して詳細に説明する。
【０００９】
本発明の一例として全体的にコックピットのような形をして車のいす部にシートベルトによって装着するチャイルドシートは、図３から図５に示すように、ベース台６と、該ベース台６上に設けられ座面１１及び該座面１１の一端から上方へ立上り延伸してなる背凭れ１２を有するシート体１と、該シート体１の背凭れ１２及び座面１１に乳幼児のショルダーとクロッチにかけるＹ字形安全ベルト４とからなり、該シート体１の背凭れ１２は、前記安全ベルト４の前記乳幼児の左右ショルダーにかける両肩部分４１、４１を通す一対の長孔１５、１６が形成されている。
【００１０】
シート体１は、図３及び図４に示すように、表面にクッション材が張られた前部１０１と、該前部１０１と共に中空セルを画成する後部１０２とを有する。前記セル内には、前記チャイルドシートに座った乳幼児の背丈に合せて前記安全ベルト４の高さを調整する調整装置３が設けられている。前記後部１０２には、前記セル内の前記調整装置３を操作するための開口が設けられ、該開口を覆うための蓋１０３が設けられている。前記背凭れ１２は、互いに背中合せの前面部１２１と後面部１２２とを有し、前記長孔１５、１６が前記前面部１２１と前記後面部１２２の両側に開口する溝孔が設けられている。また、前記長孔１５、１６は、立上り方向（上下方向）に沿って長方形状をなすように形成されている。
【００１１】
また、前記シート体１はさらに、安全のための前記背凭れ１２の左右と上部にかけて膨らみをつけた枠部１３、１３が形成されると共に、前記座面１１の周囲にも前記枠部１３、１３と一体に連続して同様な縁部１４、１４が設けられている。さらに、車のシートベルト（図示せず）を通してチャイルドシートを車のいす部に装着する複数の通孔１７、１７、・・・が設けられている。
【００１２】
前記調整装置３は、図４及び図５に示すように、横棒によって平行に保持されて前記背凭れ１２側から前記座面１１側まで延伸して前記後面部１２２に一体に固着された、例えば丸棒管によるＪ字形の左右シートフレーム３０、３０と、これらシートフレーム３０、３０のそれぞれ上端部に一定間隔で互いに対向するように設けてある複数の係止穴３０１、３０１、・・・とを備えた調整具を有している。さらに、前記左右シートフレーム３０、３０の上端部に跨り、ブシュ３１０、３１０を介して滑り自在に上下動する係止体３１を設けている。
【００１３】
前記係止体３１はさらに、図５及び図９に示すように、前記ブシュ３１０、３１０の間に前記長孔１５、１６に対応して前記安全ベルト４の肩部分４１、４１が前後に通る第１の出入口３１１、３１２と第２の出入口３１４ａ、３１４ｂ、及び前記出入口３１１、３１２の間の係止体３１上で且つ左右に対応して一直線になる一対の長溝３１３、３１３を有するベルト案内機構が設けられている。
【００１４】
該ベルト案内機構には、図５及び図６に示すように、棒状をなし、それぞれの一端部３２２が前記係止穴３０１、３０１に嵌入され、他端部３２０に小穴３２１が開けられたラッチ部材としてのラッチ棒３２、３２が設けられている。このラッチ棒３０１，３０１は、前記係止体３１内において、前記出入口３１１、３１２、３１４ａ、３１４ｂに対して左右へ横切る方向に移動可能に設けられている。前記ブシュ３１０、３１０の周壁には、前記左右シートフレーム３０、３０の前記係止穴３０１、３０１に対応して前記ラッチ棒３２、３２が出入する小孔３１０ａ、３１０ｂが設けられている。
【００１５】
前記調整装置３はさらに、前記ラッチ棒３２、３２を前記係止穴３０１、３０１に出入りさせるための手段として、前記第１の出入口３１１、３１２の間に、前記係止体３１内に前後に摺動可能に収容される駆動体としての扁平状押し部材３３を備えている。該押し部材３３には、前記長溝３１３、３１３に対して所定角度で斜めに傾斜した第２の長溝３３１、３３１が設けられている。この例においては、前記第２の長溝３３１、３３１は、図５に示すように、角度が後方に向って末広がりの八字形状に形成されている。また、ラッチ棒３２の前記小穴３２１に嵌入されながら前記長溝３１３と３３１及び３１３と３３１に沿って溝内に摺動する移動杆３４、３４が設けられている。該移動杆３４、３４は、連結手段として前記長溝３１３から係止体３１内に挿入した状態の前記ラッチ棒３２の小穴３２１を通して前記長溝３３１に沿いながらそれらを連結する。そして、図７に示す前記ラッチ棒３２が前記係止穴３０１に係合する第１の位置から、前記押し部材３３を押圧して前記ラッチ棒３２が前記係止穴３０１から脱離する図１１に示す第２の位置に往復することができる。なお、前記移動杆３４としてはリベットを用いているが、ピン状部材であればこれに限らない。また、図５及び８に示すように、付勢手段として、その一端が前記押し部材３３内の中央に設けられためくら穴３３２に収容され、他端が前記係止体３１の前記めくら穴３３２に対応して設けられた突起３１５に外嵌されるコイルばね３５が設けられている。該コイルばね３５は、常時、前記押し部材３３を押して前記ラッチ棒３２、３２を前記係止穴３０１に係止するよう付勢することができる。具体的には、押し部材３３を外向きに付勢することにより、移動杆３４を長溝３３１の末広がりの端部（図５中右側端）に位置させることにより、前記移動杆３４により連結したラッチ棒３２、３２を外向きに突出させ、前記係止穴３０１に係止させることができる。
【００１６】
また、この例においては、前記左右シートフレーム３０、３０の間に、図５に示されているように、ブラケット部材５が設けられている。このブラケット部材５は、前記係止体３１のブシュ３１０が最上位の係止穴３０１から最下位の係止穴３０１の間のみ移動できるように制限するものである。該ブラケット部材５は、前記背凭れ１２の後面部１２２に固定される長方形状のブラケット板５１と、該ブラケット板５１の一対の長辺のそれぞれ両端縁から直角に後方に突出するように形成された突耳５２、５２、５２、５２と、これら突耳５２、５２、・・・のそれぞれに設けた前記シートフレーム３０、３０を通すための円孔５３、５３、５３、５３とを有している。前記ブラケット板５１には、前記安全ベルト４の肩部分４１、４１を通すための開口５１１、５１１が長孔１５、１６に対応して開けてある。前記突耳５２、５２、５２、５２は、係止体３１の対応したブシュ３１０を挟むように配設される。
【００１７】
以上の構成により、本発明のチャイルドシートに座った乳幼児の背丈に合せて安全ベルト４の高さを調整したいときは、前記蓋１０３を開け、片手を調整装置３の係止体３１に当てて指で前記押し部材３３を押圧する。そして、前記ラッチ棒３２が前記係止穴３０１に嵌合されている図６及び７に示す状態より、図１０及び図１１に示す前記移動杆３４、３４を前記第２の位置に移動させながら前記ラッチ棒３２、３２を前記係止穴３０１、３０１から脱離させる。これにより、前記係止体３１が前記ブラケット部材５に限定された範囲内において摺動されることによって、適した任意の係止穴３０１、３０１に嵌入することができる。
【００１８】
以上説明したように、本発明によれば、チャイルドシートに座った乳幼児の背丈に合せて安全ベルトを調整するときは、片手での操作で済むと共に、操作に要する空間をも減少することができる。
【図面の簡単な説明】
【００１９】
【図１】従来のチャイルドシートを示す前斜視図。
【図２】従来のチャイルドシートを示す後斜視図。
【図３】本発明にかかる実施形態のチャイルドシートを示す正面図。
【図４】本発明にかかる実施形態のチャイルドシートを示す右側面図。
【図５】本発明のチャイルドシートの調整装置を示す分解斜視図。
【図６】図５の係止体を示す平面図。
【図７】図６における概略正面図。
【図８】図５の押し部材（駆動体）を示す断面図。
【図９】安全ベルトがベルト案内機構を通った状態を示す図６のIX―IX線断面図。
【図１０】図５の係止体を示す平面図。
【図１１】図１０における概略正面図。
【符号の説明】
【００２０】
６…ベース台                            １１…座面
１２…背凭れ                            ３１４ａ、３１４ｂ…第２の出入口
１…シート体                            ３１３…長溝
４…安全ベルト                          ３２０…他端部
４１…肩部分のベルト                    ３２２…一端部
１５、１６…長孔                        ３２１…小穴
１０１…前部                            ３２…ラッチ棒（ラッチ部材）
１０２…後部                            ３１０ａ、３１０ｂ…小孔
３…調整装置                            ３３…押し部材
１０３…蓋                              ３３１…第２の長溝
１２１…前面部                          ３４…移動杆
１２２…後面部                          ３３２…めくら穴
１３…枠部                              ３１５…突起
１４…縁部                              ３５…コイルばね
１７…通孔                              ５…ブラケット部材
３０…シートフレーム                    ５１…ブラケット板
３１０…ブシュ                          ５２…突耳
３１…係止体                            ５３…円孔
３０１…係止穴                          ５１１…開口
３１１、３１２…第１の出入口
【図１】
2004331055.tif 000003
【図２】
2004331055.tif 000004
【図３】
2004331055.tif 000005
【図４】
2004331055.tif 000006
【図５】
2004331055.tif 000007
【図６】
2004331055.tif 000008
【図７】
2004331055.tif 000009
【図８】
2004331055.tif 000010
【図９】
2004331055.tif 000011
【図１０】
2004331055.tif 000012
【図１１】
2004331055.tif 000013